(57)【要約】【課題】  従来の仏龕に対し、シンプルな構成にすると共に、仏像をあたかも空中に浮いているかのように安置することで、今までにはなかった神秘的で荘厳性に優れた仏龕を提供することを目的とする。【解決手段】  透明性を保有する材質からなる本体１の内部に仏像２を安置するための空部３を備え、該空部３には仏像２を安定に載置するための面部５を備えていることを特徴とする。【選択図】      図１
2006223743.tif 000002
【特許請求の範囲】
【請求項１】
透明性を保有する材質からなる本体（１）の内部に仏像（２）を安置するための空部（３）を備え、該空部（３）には仏像（２）を安定に載置するための面部（５）を備えていることを特徴とする仏龕。
【請求項２】
前記本体（１）の上方と下方の少なくともどちらか一方に光源（８）を備えていることを特徴とする請求項１記載の仏龕。
【請求項３】
前記空部（３）には不透明の枠取り（６）がなされていることを特徴とする請求項１又は２記載の仏龕。
【発明の詳細な説明】
【技術分野】
【０００１】
本発明は、仏像を安置する仏龕に関するものである。
【背景技術】
【０００２】
これまでの仏龕は、観音開き式の扉を前面側に備えた箱体の内部に仏像を安置するか、又は表面に仏像が描かれた掛軸を吊り下げるもので、仏像自体に鍍金や金箔塗りを施したり、内壁面に金箔塗りを施すなどして、壮麗且つ重厚な外観にして神々しさを醸し出すと共に、参拝者に荘厳な印象を与えるものが一般的であった。
【発明の開示】
【発明が解決しようとする課題】
【０００３】
本発明は上記のような従来の仏龕に対し、観音開き式の扉を取り払ってシンプルな構成にすると共に、仏像をあたかも空中に浮いているかのように安置することで、今までにはなかった神秘的で荘厳性に優れた仏龕を提供することを目的とする。
【課題を解決するための手段】
【０００４】
上記目的を達成するために、本発明のうち請求項１記載の発明は、透明性を保有する材質からなる本体の内部に仏像を安置するための空部を備え、該空部には仏像を安定に載置するための面部を備えていることを特徴とする。
【０００５】
ここで透明性を保有する材質とは、例えばＦＲＰなどのプラスチックやガラスなどを挙げることができるが、その中でも特に透明性及び耐候光性に優れるアクリル樹脂にすることが望ましい。また本体の形状としては、柱状であればどのような形状であってもよく、例えば円柱、三角柱、四角柱、六角柱などが挙げられるが、透明度を高めるためにも面数の少ない円柱にすることが望ましい。また本体の下方には、本体の起立状態の安定化を図るために台座を備えてもよい。空部の形状としては、内部に仏像を安置可能であればどのような形状であってもよいが、より神々しさを際立たせるためにもほこら状や洞窟状などにすることが望ましい。また空部の形成方法としては、本体の内部に切削加工を施して形成してもよいし、本体を形成する際に型を使用して一体的に形成してもよい。面部の形状としては、平面は勿論のこと、仏像を安定に載置できれば凹凸面や曲面などであってもよい。
【０００６】
請求項２記載の発明は、本体の上方と下方の少なくともどちらか一方に光源を備えていることを特徴とする。光源については、安全性の面から蝋燭などの灯火ではなく電灯であれば特に限定しないが、省スペースで発熱がほとんどない発光ダイオードにすることが望ましい。
【０００７】
請求項３記載の発明は、空部には不透明の枠取りがなされていることを特徴とする。枠取りする方法としては、透明性を保有する材質は削ることで削り跡が不透明になることから、空部を切削加工により形成する場合は、削り跡が不透明となって自然に枠取りが形成されるが、それ以外の場合は、磨りガラスを形成する方法で空部の周囲を不透明に形成すればよい。
【発明の効果】
【０００８】
本発明のうち請求項１記載の発明によれば、仏像を透明性を保有する材質からなる本体の内部に安置することで、仏像があたかも空中に浮いているかのような状態となり、今までにはなかった何とも言われない神秘的な外観となって、簡単な構成においても仏像の神々しさを今まで以上に際立たせた荘厳性に優れた仏龕を提供することができる。
【０００９】
本発明のうち請求項２記載の発明によれば、光をあてることで本体全体が光り、あたかも後光が差しているかのような臨場感を出して、仏像の神々しさをより一層際立たせると共に、仏像を神々しく浮き上がらせることができるので外観がより一層神秘的なものとなり、参拝者により一層荘厳な印象を与えることができる。
【００１０】
本発明のうち請求項３記載の発明によれば、空部の形状が明確となって仏像の安置状態に重厚さを持たせることができるので、仏像の神々しさをより一層際立たせると共に、空部ごとあたかも空中に浮いているかのような状態となり、外観をより一層神秘的なものにすることができる。
【発明を実施するための最良の形態】
【００１１】
以下、本発明の実施形態を図面に基づいて説明する。
【００１２】
図１及び図２は本発明の第１実施形態を示す正面図及び断面図である。第１実施形態の仏龕は、透明なアクリル樹脂からなる円柱状体１と、円柱状体１の内部に仏像２を安置する空部３と、円柱状体１の起立状態を保持するための台座４とから構成されている。空部３は円柱状体１の前面側の略中間位置にほこら状に形成されるものであり、空部３の下端には仏像２を安定に安置するための平面５が形成されている。空部３の形成方法としては、円柱状体１に切削加工を施すことにより形成するものであり、その削り跡が白っぽく不透明となって残ることから、空部３の外周面には不透明な枠取り６が形成されることとなる。台座４は木材を半球状に形成したものであり、上部を水平に形成すると共に、その水平な部分に円柱状体１の下端部を嵌め込んで保持するための凹部７が形成してある。
【００１３】
このように構成された仏龕は、シンプルな構成であるので仏壇の内部に収納して使用してもよいし、仏壇の外に出してそのままの状態で使用してもよい。仏壇内に収納した場合は、仏壇内において仏像２があたかも空中に浮いているかのようになるため、仏壇の観音開き扉を開けばその扉の向こう側に何とも言われない神秘的な別世界を作り出すことが可能となり、参拝者に対して今までにはない荘厳な印象を与えることができる仏壇にすることができる。また仏壇などの内部に収納せずにそのままの状態で使用した場合は、シンプルな構成であるため設置場所を問わず、インテリア感覚としてリビングや和室にさりげなく祈りの空間を作ることが可能となり、さらにそのさりげない空間においても、参拝者に対して今までにはなかった神秘的で荘厳な印象を与えることが可能となり、非常に現代の風潮に適った仏龕となる。
【００１４】
図３は本発明の第２実施形態を示す断面図である。第１実施形態と相違するところは、台座４の凹部７に光源となる発光ダイオード８を埋め込むような状態に組み込んだ点である。このように円柱状体１に光りをあてることで、透明な円柱状体１の全体が光るため、あたかも後光が差しているかのような臨場感を出すことができる共に、仏像２を神々しく浮かび上がらせることができるので、光の効果を利用して神々しさをより一層際立たせることができる。また円柱状体１は、透明であるため光りをスムーズに透過させるだけでなく、曲面を有しているので透過する光が曲げられるため、光りの効果を多様にアレンジすることができる。発光ダイオード８は省電力であり、発熱がほとんどなく、また球切れもないため長時間の連続点灯が可能となり、安全性の面から見ても非常に好都合な光源と言える。
【００１５】
尚、本発明の仏龕は、上記実施形態のみに限定されるものではなく、例えば本体は必ずしも円柱状体に限るものではなく、角柱状体であっても勿論よく、さらには円錐状体や角錐状体であってもよい。また空部の形状は洞窟状であってもよいし、側面のない形状にしても勿論よく、空部の形成方法も切削加工のみではなく、型を使用して円柱状体と一体的に形成してもよい。この場合は磨りガラスの形成方法によって空部の側周面を不透明に形成して、空部を枠取りすることが望ましい。また光源についても、発光ダイオードに限定するものではなく、安全性の面からも電灯でさえあればどのような光源であってもよく、その備える箇所も円柱状体の下方ではなく上方であってもよいし、上方と下方の両方に備えても勿論よく、さらには円柱状体に直接組み込んでもよいし、遠方から円柱状体に光りを照射してもよい。
【図面の簡単な説明】
【００１６】
【図１】本発明の第１実施形態を示す正面図である。
【図２】本発明の第１実施形態を示す断面図である。
【図３】本発明の第２実施形態を示す断面図である。
【符号の説明】
【００１７】
１  円柱状体（本体）
２  仏像
３  空部
５  平面（面部）
６  枠取り
８  発光ダイオード（光源）
【図１】
2006223743.tif 000003
【図２】
2006223743.tif 000004
【図３】
2006223743.tif 000005